(57)【要約】【課題】静脈パターンや指紋等の指にかかる生体情報を用いた個人認証の認証精度を向上させ、且つ、装置本体の大型化およびコストアップが抑えられる生体情報読取ユニットを提供する。【解決手段】撮像部２２は、認証対象者が指を載置する読取位置に対向する撮像素子２２ａを有している。撮像素子２２ａは、右斜め方向の指画像を投影する第１の領域、正面方向の指画像を投影する第２の領域、および左斜め方向の指画像を投影する第３の領域に分割している。第２の領域には、読取位置に載置された対象者の指を正面方向から見た像が第２の撮像レンズ２２ｃを通して投影される。また、読取位置に載置された認証対象者の指を右斜め方向から見た像はプリズム２２ｅにより屈折され、読取位置に載置された認証対象者の指を左斜め方向から見た像はプリズム２２ｆにより屈折され、それぞれが第１の撮像領域と、第３の領域とに投影される。【選択図】図２
2011090620.tif 000002
【特許請求の範囲】
【請求項１】
読取位置に載置された対象者の指を、正面方向を含む複数の撮像方向から撮像する撮像部と、
撮像方向毎に、前記撮像部が撮像した対象者の指画像を処理し、当該対象者の指にかかる生体情報を取得する生体情報取得部と、を備え、
前記撮像部は、
前記読取位置に対向する位置に配置し、撮像方向毎に撮像領域を区分して割り当てた撮像素子と、
撮像領域毎に、入射されている像を投影する撮像レンズと、
撮像方向が正面方向でない撮像領域を割り当てた前記撮像レンズ毎に、対応する撮像方向にかかる対象者の指画像を屈折させて入射する光学部材と、を有している、
生体情報読取ユニット。
【請求項２】
読取位置に載置された対象者の指を、正面方向を含む複数の撮像方向から撮像する撮像部と、
撮像方向毎に、前記撮像部が撮像した対象者の指画像を処理し、当該対象者の指にかかる生体情報を取得する生体情報取得部と、
前記撮像方向毎に、各登録者について予め登録している登録生体情報と、前記生体情報取得部が取得した対象者の生体情報とを照合し、当該対象者が登録者であるかどうかを認証する認証部と、を備え、
前記撮像部は、
前記読取位置に対向する位置に配置し、撮像方向毎に撮像領域を区分して割り当てた撮像素子と、
撮像領域毎に、入射されている像を投影する撮像レンズと、
撮像方向が正面方向でない撮像領域を割り当てた前記撮像レンズ毎に、対応する撮像方向にかかる対象者の指画像を屈折させて入射する光学部材と、を有している、
個人認証装置。
【請求項３】
前記認証部は、撮像方向毎に、前記生体情報取得部が取得した対象者の生体情報と、登録情報記憶部が登録者毎に記憶している対応する方向の生体情報と、を照合し、各撮像方向について得られた一致度から、総合的に当該対象者が登録者であるかどうかを認証する、請求項２に記載の個人認証装置。
【請求項４】
前記認証部における、対象者が登録者であるかどうかの認証にかかる判定条件を記憶する判定条件記憶部を備えた、請求項２、または３に記載の個人認証装置。
【請求項５】
前記認証部は、撮像方向毎に、前記生体情報取得部が取得した対象者の生体情報と、登録情報記憶部が登録者毎に記憶している対応する方向の生体情報と、の一致度を３段階以上で区分した一致レベルのいずれであるかを判別し、各撮像方向について得られた一致レベルにより、総合的に当該対象者が登録者であるかどうかを認証する、請求項２〜４のいずれかに記載の個人認証装置。
【発明の詳細な説明】
【技術分野】
【０００１】
この発明は、認証対象者の指を撮像した指画像を処理し、指にかかる生体情報（静脈パターンや指紋等）を取得する生体情報読取ユニット、および、この生体情報読取ユニットを適用した個人認証装置に関する。
【背景技術】
【０００２】
従来、認証対象者（利用者）の生体情報を用いて、当該認証対象者が登録者本人であるかどうかを認証する個人認証が行われている。例えば、金融機関のＡＴＭにおける利用者の認証、社員の出退勤を管理する出退勤管理装置における社員の認証、預け入れ保管庫における施錠／開錠を管理する保管庫管理装置における利用者の認証が、生体情報により行われている。生体情報は、例えば、指静脈パターンや指紋等の指にかかるもの、掌紋や掌静脈パターン等の掌にかかるもの、顔やアイリス等の顔全体や顔部品にかかるものがある。生体情報を用いた個人認証では、認証対象者から読み取った生体情報と、予め登録している登録者の生体情報とを照合し、その一致度が予め定めた閾値を超えていれば、当該認証対象者を登録者であると認証している。
【０００３】
なお、上述の閾値を大きくすると、登録者本人である利用者を登録者でないと判定する本人排他率が大きくなり、逆に、閾値を小さくすると、登録者本人でない他人を登録者であると判定する他人受入率が大きくなる。閾値は、その装置やシステムにおいて要求されるセキュリティレベルに応じて設定される。
【０００４】
また、生体情報による個人認証の認証精度を向上させるために（本人排他率、および他人受入率をともに抑える。）、認証対象者の指静脈パターンを多方向から取得し、各方向の指静脈パターンを重ね合わせて指静脈合成パターンを生成し、この指静脈合成パターンを用いて個人認証を行う提案がなされている（特許文献１参照）。
【先行技術文献】
【特許文献】
【０００５】
【特許文献１】特開２００７−３２８４８５号公報
【発明の概要】
【発明が解決しようとする課題】
【０００６】
しかしながら、上記特許文献１は、対象者の指静脈パターンを取得する方向毎に、撮像装置を設ける構成であった。このため、装置本体が大型化するとともに、コストアップという問題があった。
【０００７】
この発明の目的は、指静脈パターンや指紋等の指にかかる生体情報を用いた個人認証の認証精度を向上させ、且つ、装置本体の大型化およびコストアップが抑えられる生体情報読取ユニットや、この生体情報読取ユニットを適用した個人認証装置を提供することにある。
【課題を解決するための手段】
【０００８】
この発明にかかる生体情報読取ユニットは、上述の課題を解決するために、以下のように構成している。
【０００９】
撮像部は、撮像素子を読取位置に対向する位置に配置している。認証対象者は、読取位置に指を載置する。撮像素子は、読取位置に載置されている対象者の指を撮像する撮像方向毎に、撮像領域を区分して割り当てている。この撮像方向には、正面方向が含まれている。
【００１０】
また、撮像領域毎に、撮像レンズを設けている。各撮像領域には、対応する撮像レンズに入射されている像が投影される。さらに、撮像方向が正面方向でない撮像領域を割り当てた撮像レンズについては、対応する撮像方向にかかる対象者の指画像を屈折させて入射する光学部材（プリズムや、反射ミラー等）を設けている。
【００１１】
そして、生体情報取得部が、撮像方向毎に、撮像部が撮像した認証対象者の指画像を処理し、当該認証対象者の指にかかる生体情報を取得する。
【００１２】
このように、読取位置に載置された対象者の指について、正面方向を含む複数の撮像方向から撮像した撮像画像を、１つの撮像素子上に投影できる。すなわち、読取位置に載置された対象者の指について、撮像方向毎に、撮像部を設けることなく、１つの撮像部で複数の方向から撮像した撮像画像を得ることができる。したがって、本体の大型化や、コストアップが抑えられる。
【００１３】
また、この発明にかかる個人認証装置は、上述の生体情報読取ユニットを適用したものである。
【００１４】
この個人認証装置は、認証部が、撮像方向毎に、各登録者について予め登録している登録生体情報と、生体情報取得部が取得した認証対象者の生体情報とを照合し、当該認証対象者が登録者であるかどうかを認証する。これにより、静脈パターンや指紋等の指にかかる生体情報を用いた個人認証の認証精度を向上させることができる。
【００１５】
また、認証部は、例えば、撮像方向毎に、前記生体情報取得部が取得した認証対象者の生体情報と、登録情報記憶部が登録者毎に記憶している対応する方向の生体情報と、を照合し、各撮像方向について得られた一致度から、総合的に当該認証対象者が登録者であるかどうかを認証すればよい。
【００１６】
また、認証部における、各撮像方向について得られた一致度から、認証対象者が登録者であるかどうかを判定する判定条件を判定条件記憶部に記憶させる構成とすれば、この判定条件を変更することにより、セキュリティレベルを適用するシステムに応じて簡単に変更できる。
【発明の効果】
【００１７】
この発明によれば、静脈パターンや指紋等の指にかかる生体情報を用いた個人認証の認証精度を向上させ、且つ、装置本体の大型化およびコストアップを抑えることができる。
【図面の簡単な説明】
【００１８】
【図１】個人認証装置の主要部の構成を示すブロック図である。
【図２】生体情報読取ユニットの内部の構造を示す概略図である。
【図３】撮像素子の、撮像方向に対する撮像領域の割り当てを説明する図である。
【図４】登録者情報を示す図である。
【図５】生体情報を登録する登録処理を示すフローチャートである。
【図６】認証処理を示すフローチャートである。
【発明を実施するための形態】
【００１９】
以下、この発明の実施形態である個人認証装置について説明する。
【００２０】
図１は、この実施形態にかかる個人認証装置の主要部の構成を示すブロック図である。この個人認証装置１は、生体情報読取ユニット２と、照合ユニット３と、を有している。生体情報読取ユニット２は、認証対象者の指にかかる生体情報（ここでは、指静脈パターンとする。）を取得する。照合ユニット３は、生体情報読取ユニット２が取得した認証対象者の生体情報を用いて、この認証対象者が登録者であるかどうかを認証する個人認証処理を行う。生体情報読取ユニット２と、照合ユニット３とは、データ通信ラインで接続されている。
【００２１】
生体情報読取ユニット２は、制御部２１と、撮像部２２と、照明部２３と、画像処理部２４と、入出力部２５と、を備えている。制御部２１は、この生体情報読取ユニット２の各部の動作を制御する。撮像部２２は、読取位置に載置された認証対象者の指を、正面方向を含む複数の方向から撮像する。ここでは、右斜め方向、正面方向、および左斜め方向の３方向について、読取位置に載置された認証対象者の指を撮像する。照明部２３は、撮像部２２で認証対象者の指を撮像する時に、当該認証対象者の指を照らす光源を有している。画像処理部２４は、撮像方向毎に、撮像部２２で撮像した認証対象者の指の画像を処理し、指静脈パターンの特徴量を抽出する。入出力部２５は、照合ユニット３との間におけるデータの入出力を行う。
【００２２】
図２は、生体情報読取ユニットの内部の構造を示す概略図である。撮像部２２は、認証対象者が指を載置する読取位置に対向する位置に配置した撮像素子２２ａを有している。この生体情報読取ユニット２は、読取位置に載置された認証対象者の指を、上述したように、正面方向、右斜め方向、および、左斜め方向の３方向から撮像する。撮像素子２２ａは、図３に示すように、ｎ×ｍ画素の素子である。撮像素子２２ａは、右斜め方向の指画像を投影する第１の領域、正面方向の指画像を投影する第２の領域、および左斜め方向の指画像を投影する第３の領域の３つに区分している。
【００２３】
また、撮像部２２は、撮像素子２２ａの第１の領域に像を投影する第１の撮像レンズ２２ｂ、撮像素子２２ａの第２の領域に像を投影する第２の撮像レンズ２２ｃ、および、撮像素子２２ａの第３の領域に像を投影する第３の撮像レンズ２２ｄを有している。第１の撮像レンズ２２ｂは、撮像素子２２ａの第１の領域に対向させて配置している。第２の撮像レンズ２２ｃは、撮像素子２２ａの第２の領域に対向させて配置している。第３の撮像レンズ２２ｄは、撮像素子２２ａの第３の領域に対向させて配置している。また、図２に示すように、第２の領域は、対象者の指が載置される読取位置に対向している。このため、読取位置に載置された対象者の指は、その正面方向から見た像が第２の撮像レンズ２２ｃを通して第２の領域に投影される。
【００２４】
また、第１の撮像レンズ２２ｂを通して、右斜め方向の指画像を撮像素子２２ａの第１の領域に投影するためにプリズム２２ｅを、第１の撮像レンズ２２ｂと読取位置との間に配置している。読取位置に載置された認証対象者の指を右斜め方向から見た像は、プリズム２２ｅにより屈折され、第１の撮像レンズ２２ｂ通して第１の撮像領域に投影される。
【００２５】
同様に、第３の撮像レンズ２２ｄを通して、左斜め方向の指画像を撮像素子２２ａの第３の領域に投影するためにプリズム２２ｆを、第３の撮像レンズ２２ｄと読取位置との間に配置している。読取位置に載置された認証対象者の指を左斜め方向から見た像は、プリズム２２ｆにより屈折され、第３の撮像レンズ２２ｄ通して第３の領域に投影される。
【００２６】
第１の撮像レンズ２２ｂ、第２の撮像レンズ２２ｃ、および、第３の撮像レンズ２２ｄは、個別のレンズであってもよいが、３つのレンズを一列に並べたレンズアレイを用いることで、その保持機構にかかる構成が簡単にできる。
【００２７】
照明部２３は、読取位置に載置された認証対象者の指を照らすＬＥＤ２３ａ〜２３ｃを有している。ＬＥＤ２３ａ〜２３ｃは、近赤外光で発光する。照明部２３は、ＬＥＤ２３ａ〜２３ｃの点灯／消灯にかかる制御を行う。また、３つのＬＥＤ２３ａ〜２３ｃは、それぞれ読取位置に載置された対象者の指を撮像する方向に近赤外光を照射する向きに配置している。
【００２８】
なお、ここでは、３つのＬＥＤ２３ａ〜２３ｃを照明光として用いる場合を例にしているが、その個数は、いくつであってもよい。また、ＬＥＤ２３ａ〜２３ｃに換えて、他の光源を照明光として利用してもよい。また、照明光は、可視光であってもよい。また、図２に示す例では、ＬＥＤ２３ａ〜２３ｃは、撮像素子２２ａに対向する側に配置しているが、撮像素子２２ａ側に配置し、読取位置に載置された対象者の指を照らすように構成してもよい。
【００２９】
図１に戻って、照合ユニット３の構成について説明する。照合ユニット３は、制御部３１と、記憶部３２と、入出力部３３と、通信部３４と、を備えている。制御部３１は、照合ユニット３の各部の動作を制御する。記憶部３２は、登録者毎に、その登録者の指静脈パターンの特徴量を登録した登録者情報を記憶している。この登録者情報は、図４に示すように、登録者毎に、その登録者の指を右斜め方向から撮像した撮像画像から得た指静脈パターンの特徴量、その登録者の指を正面方向から撮像した撮像画像から得た指静脈パターンの特徴量、および、その登録者の指を左斜め方向から撮像した撮像画像から得た指静脈パターンの特徴量を対応付けて登録したものである。
【００３０】
入出力部３３は、生体情報読取ユニット２との間におけるデータの入出力を行う。通信部３４は、上位装置との間におけるデータ通信を行う。上位装置は、この個人認証装置１を適用する、ＡＴＭ、出退勤管理装置、保管庫管理装置等である。
【００３１】
また、制御部３１は、不揮発性のメモリを有し、このメモリに生体情報（ここでは、指静脈パターン）の一致度に対する一致レベルを４段階で判断するための閾値を記憶している。具体的には、一致度Ｓと比較する３つの閾値Ｘ，Ｙ，Ｚ（Ｘ＞Ｙ＞Ｚ）を記憶している。制御部３１は、一致度Ｓが閾値Ｘよりも大きければ、一致レベルを「優」と判断する。また、一致度Ｓが閾値Ｘよりも小さく、且つ閾値Ｙよりも大きければ、一致レベルを「良」と判断する。また、一致度Ｓが閾値Ｙよりも小さく、且つ閾値Ｚよりも大きければ、一致レベルを「可」と判断する。さらに、一致度Ｓが閾値Ｚよりも小さければ、一致レベルを「不可」と判断する。
【００３２】
また、制御部３１は、各方向の一致レベルを用いて、認証対象者が登録者であるかどうかを判定する判定条件を不揮発性のメモリに記憶している。この判定条件は、この個人認証装置１を適用する装置やシステムに応じて設定される。
【００３３】
例えば、高いセキュリティが要求されるＡＴＭ等に適用する場合には、３つの方向の全てについて、一致レベルが「優」と判定された場合のみ、認証対象者を登録者であると認証する判定条件が設定される。
【００３４】
また、出退勤管理システム等に適用する場合には、本人排他率（登録者である認証対象者を登録者でないと認証する割合）を低減し、利便性を向上させるために、３つの方向の内のいずれか２つについて、一致レベルが「優」と判定された場合、認証対象者を登録者であると認証する判定条件が設定される。
【００３５】
さらに、セキュリティレベルよりも、利便性が優先される保管庫管理装置では、
（１）３つの方向の内のいずれか１つについて、一致レベルが「優」と判定された場合、
（２）３つの方向の内のいずれか２つについて、一致レベルが「良」と判定された場合、
（３）３つの方向の全ての一致レベルが「可」以上と判定された場合、
のいずれかであるとき、認証対象者を登録者であると認証する判定条件が設定される。
【００３６】
したがって、個人認証装置１は、この判定条件を変更することによって、セキュリティレベルを適用するシステムに応じて簡単に変更できる。
【００３７】
なお、ここでは、判定する一致レベルを４段階にしているが、この段階数については３段階以下であってもよいし、５段階以上であってもよい。また、判定条件については、段階数に応じて設定すればよい。
【００３８】
次に、この個人認証装置１の動作について説明する。この個人認証装置１は、認証対象者が登録者であるかどうかを認証する個人認証処理だけでなく、登録対象者が生体情報を登録する登録処理も行える。
【００３９】
図５は、登録対象者が生体情報を登録する登録処理を示すフローチャートである。この登録処理で生体情報を登録した人が登録者になる。この個人認証装置１が接続されている上位装置の操作部において、これから生体情報を登録する人の個人情報を入力する。ここで入力する個人情報は、住所、氏名、口座番号、社員番号、保管庫番号等であり、本装置１を適用する装置やシステムにおいて必用な項目について予め定めている。上位装置は、登録に必用な個人情報の入力を受け付けると、個人認証装置１に対して登録処理開始を指示する。この登録処理開始の指示には、今回入力された個人情報が含まれていてもよいし、この個人情報に対して付与したＩＤだけであってもよい（この場合には、入力された個人情報と、付与したＩＤと、を対応付けて上位装置で記憶し、管理する。ＩＤは、口座番号、社員番号、保管庫番号等にしてもよいし、別途生成されるもの（シリアル番号等）であってもよい。
【００４０】
個人認証装置１は、上位装置から登録処理開始の指示があると、図５に示す登録処理を開始する。個人認証装置１は、生体情報読取ユニット２において、生体情報を登録する人（以下、登録対象者と言う。）の指が読取位置に載置されるのを待つ（ｓ１）。生体情報読取ユニット２は、登録対象者の指が読取位置に載置されると、照明部２３がＬＥＤ２３ａ〜２３ｃを点灯する（ｓ２）。その後、撮像部２２が、読取位置に載置されている登録対象者の指の画像を取り込む（ｓ３）。
【００４１】
ｓ３では、撮像素子２２ａの第１の領域に投影されている登録対象者の右斜め方向からの指の画像、撮像素子２２ａの第２の領域に投影されている登録対象者の正面方向からの指の画像、および、撮像素子２２ａの第３の領域に投影されている登録対象者の左斜め方向からの指の画像を個別に取り込む。上述したように、撮像素子２２ａの第１の領域には、読取位置に載置されている指を右斜め方向から見た像が、プリズム２２ｅ、および第１の撮像レンズ２２ｂを通して投影される。また、撮像素子２２ａの第２の領域には、読取位置に載置されている指を正面方向から見た像が、第２の撮像レンズ２２ｃを通して投影される。さらに、撮像素子２２ａの第３の領域には、読取位置に載置されている指を左斜め方向から見た像が、プリズム２２ｆ、および第１の撮像レンズ２２ｄを通して投影される。
【００４２】
生体情報読取ユニット２は、登録対象者の指にかかる３方向（右斜め方向、正面方向、および左斜め方向）からの画像を取り込むと、ｓ２で点灯したＬＥＤ２３ａ〜２３ｃを消灯する（ｓ４）。また、生体情報読取ユニット２は、ｓ３で取り込んだ登録対象者の指の画像を画像処理部２４で処理し、各方向について指静脈パターンの特徴量を抽出する（ｓ５）。生体情報読取ユニット２は、３つの方向の各画像から指静脈パターンの特徴量が適正に抽出できたかどうかにより、今回の生体情報の読み取りが適正に行えたかどうかを判定する（ｓ６）。ｓ６では、３つの方向の全ての画像から指静脈パターンの特徴量が抽出できた場合にのみ、生体情報の読み取りが適正に行えたと判定する。言い換えれば、いずれかの方向の画像から指静脈パターンの特徴量が抽出できなかった場合、生体情報の読み取りが適正に行えなかったと判定する。
【００４３】
生体情報読み取りユニット２は、ｓ６で生体情報の読み取りが適正に行えなかったと判定すると、エラー処理を行い（ｓ７）、本処理を終了する。ｓ７にかかるエラー処理は、生体情報の読み取りが適正に行えなかった旨を上位装置に通知する処理である。
【００４４】
また、ｓ６で生体情報の読み取りが適正に行えなかったと判定したとき、ｓ２に戻り、上述した処理を繰り返す構成としてもよい。すなわち、登録対象者の指画像を再度撮像し、指静脈パターンの特徴量を抽出する処理を再度行う構成としてもよい。この場合には、この再処理を数回（例えば、３回）繰り返しても、生体情報の読み取りが適正に行えなければ、ｓ７でエラー処理を行う構成とすればよい。
【００４５】
生体情報読取ユニット２は、ｓ６で生体情報の読み取りが適正に行えたと判定すると、ｓ５で各方向の指画像から抽出した指静脈パターンの特徴量を照合ユニット３に通知する。照合ユニット３は、上位装置から今回通知された登録処理開始の指示に含まれていた個人情報やＩＤと、生体情報読取ユニット２がｓ５で抽出した各方向の指静脈パターンの特徴量と、を対応付けた登録者情報を記憶部３２に登録し（ｓ８）、本処理を終了する。
【００４６】
これにより、今回の登録対象者について、右斜め方向から撮像した撮像画像から得た指静脈パターンの特徴量、正面方向から撮像した撮像画像から得た指静脈パターンの特徴量、および、左斜め方向から撮像した撮像画像から得た指静脈パターンの特徴量を対応付けた登録者情報が記憶部３２に登録される。すなわち、今回の登録対象者が、登録者として登録される。
【００４７】
次に、認証対象者が、登録者であるかどうかを認証する認証処理について説明する。図６は、認証処理を示すフローチャートである。個人認証装置１は、認証要求があると、この図６に示す処理を開始する。認証要求は、上位装置から指示される構成であってもよいし、読取位置に認証対象者の指が載置されたことを検出したときに、認証要求があったと判定する構成であってもよい。生体情報読取ユニット２は、照明部２３がＬＥＤ２３ａ〜２３ｃを点灯する（ｓ１１）。その後、撮像部２２が、読取位置に載置されている認証対象者の指の画像を取り込む（ｓ１２）。ｓ１２では、撮像素子２２ａの第１の領域に投影されている認証対象者の右斜め方向からの指の画像、撮像素子２２ａの第２の領域に投影されている認証対象者の正面方向からの指の画像、および、撮像素子２２ａの第３の領域に投影されている認証対象者の左斜め方向からの指の画像を個別に取り込む。生体情報読取ユニット２は、登録対象者の指にかかる３方向（右斜め方向、正面方向、および左斜め方向）からの画像を取り込むと、ｓ１１で点灯したＬＥＤ２３ａ〜２３ｃを消灯する（ｓ１３）。ｓ１１〜ｓ１３にかかる処理は、上述したｓ２〜ｓ４にかかる処理と同じである。
【００４８】
生体情報読取ユニット２は、画像処理部２４において、撮像部２２がｓ１２で取り込んだ３方向の指画像毎に、指静脈パターンの特徴量を抽出する（ｓ１４）。生体情報読取ユニット２は、ｓ１４で抽出した各方向の指静脈パターンの特徴量を照合ユニット３に通知する。
【００４９】
照合ユニット３は、右斜め方向、正面方向、および左斜め方向のそれぞれについて、生体情報読取ユニット２から通知された指静脈パターンの特徴量と、記憶部３２に記憶している各登録者の該当する方向の指静脈パターンの特徴量と、を照合し、一致度が最大である登録者を判断する（ｓ１５）。ｓ１５では、方向毎に一致度が最大である登録者が同じ登録者になるとは限らない。言い換えれば、方向毎に一致度が最大である登録者が異なる場合もあれば、２つの方向については一致度が最大である登録者が同じで、残りの１つの方向については一致度が最大である登録者が異なる場合がある。
【００５０】
照合ユニット３は、ｓ１４で抽出した登録者の中で、一致度が最大である方向の登録者を今回の判定対象登録者に設定する（ｓ１６）。照合ユニット３は、以下のｓ１７、ｓ１８にかかる処理で、今回の認証対象者がｓ１６で設定した判定対象登録者であるかどうかを認証する。具体的には、抽出した３つの方向の指静脈パターン毎に、判定対象登録者について登録されている指静脈パターンとの一致度に対する一致レベルが「優」、「良」、「可」、「不可」のいずれであるかを判定する（ｓ１７）。ｓ１７にかかる一致レベルの判定は、一致度と、上述した３つの閾値Ｘ，Ｙ，Ｚとの比較により行う。
【００５１】
照合ユニット３は、ｓ１７で判定した各方向の一致レベルが、記憶部３２に記憶している判定条件を満足するかどうかにより、認証対象者がｓ１６で設定した判定対象登録者であるかどうかを認証する（ｓ１８）。ｓ１８では、ｓ１７で判定した各方向の一致レベルが、記憶部３２に記憶している判定条件を満足していれば、認証対象者がｓ１６で設定した判定対象登録者であると判定する。逆に、ｓ１７で判定した各方向の一致レベルが、記憶部３２に記憶している判定条件を満足していなければ、認証対象者がｓ１６で設定した判定対象登録者でないと判定する。
【００５２】
この判定条件は、上述したように、本装置を適用した装置やシステムにおいて要求されるセキュリティレベルに応じて設定されている。例えば、ＡＴＭに適用している場合には、全ての方向について一致レベルが「優」であれば、認証対象者がｓ１６で設定した判定対象登録者であると判定する。
【００５３】
照合ユニット３は、ｓ１８における認証結果を上位装置に通知し（ｓ１９）、本処理を終了する。
【００５４】
上位装置は、通知された認証結果に応じて、取引処理、入出金管理処理、保管庫管理処理等を行う。
【００５５】
このように、この個人認証装置１は、認証対象者について３方向から撮像した指画像を処理し、各方向の画像から抽出した指静脈パターンの特徴量を用いて、認証対象者が登録者であるかどうかを認証する。したがって、認証精度を十分に向上させることができる。
【００５６】
また、認証対象者の指画像を撮像する方向毎に、撮像部を設ける必用がないので、装置本体の大型化、およびコストアップが抑えられる。
【００５７】
また、判定条件を変更することにより、本装置１を適用する装置やシステムにおいて要求されるセキュリティレベルでの個人認証が行える。すなわち、要求されるセキュリティレベルに制限されることなく、本装置１を多様な装置やシステムに適用できる。
【００５８】
また、上述した例では、認証対象者の認証を指静脈パターンで行うとしたが、指紋パターンで行う構成としてもよい。この場合には、上述した指静脈パターンの特徴量に代えて、指紋パターンの特徴量を抽出する構成とすればよい。
【００５９】
なお、個人認証装置１は、一致度Ｓに対する一致レベルの判定や、判定条件を、設置環境等を考慮して設定してもよい。ここで言う設置環境とは、撮像部２２で撮像される画像に対する外乱光の影響等の大きさである。一致度Ｓに対する一致レベルの判定は、上述した閾値を変更してもよいし、一致度Ｓに対する一致レベルの判定方法を変更してもよい。このようにすれば、抽出される指静脈パターンの特徴量の品質の差を考慮した個人認証が行える。
【００６０】
また、上記の例では、登録者情報が登録されている登録者全員を対象にして、認証対象者が登録者であるかどうかを認証する構成としたが、認証時にＩＤ等を入力させ、認証対象者が入力されたＩＤが付与された登録者であるかどうかを認証する構成としてもよい。
【符号の説明】
【００６１】
１…個人認証装置
２…ユニット
３…照合ユニット
２１…制御部
２２…撮像部
２２ａ…撮像素子
２２ｂ、２２ｃ、２２ｄ…撮像レンズ
２２ｅ、２２ｆ…プリズム
２３…照明部
２３ａ、２３ｂ、２３ｃ…ＬＥＤ
２４…画像処理部
３１…制御部
３２…記憶部
３３…入出力部
３４…通信部
【図１】
2011090620.tif 000003
【図２】
2011090620.tif 000004
【図３】
2011090620.tif 000005
【図４】
2011090620.tif 000006
【図５】
2011090620.tif 000007
【図６】
2011090620.tif 000008